(57)【要約】【課題】他の車券売場で購入された競輪の的中投票券の払戻しの際の、見本券に基づく妥当性のチェックの為に必要な作業の手間を大幅に軽減できる。【解決手段】開催競技場、各場外車券売場Ａ、Ｂ、Ｃの情報処理装置２〜３ｃは、レース開催前に、自場が発券する投票券の見本券の画像データをサーバ１０に送信し、見本券画像登録部１２は、この見本券画像をＤＢ１１に格納する。レース後、見本券画像提供部１３は、任意の情報処理装置２〜３ｃからの要求に応じて、払戻し対象の投票券に対応する見本券の画像を、要求元に送信する。【選択図】      図１
2004246426.tif 000002
【特許請求の範囲】
【請求項１】
競輪の開催場または各場外の車券売場に設置される情報処理端末から送られてくる各種の見本券画像とその登録情報を受信して、各見本券画像をその登録情報に対応付けて記録する見本券画像登録手段と、
任意の前記情報処理端末から任意の投票券に対応する見本券画像の提供要求が該投票券の投票券情報と共に送られてくると、前記見本券画像登録手段によって記録された各種の見本券画像の中から、前記投票券情報と合致する登録情報に対応付けられた見本券画像を、前記要求された見本券画像として、要求元の情報処理端末に送信する見本券画像提供手段と、
を有することを特徴とする競輪の払戻し作業支援装置。
【請求項２】
前記競輪開催場に設置される情報処理端末から送られてくるレース結果と配当金を記録するレース結果記録手段と、
任意の前記情報処理端末からの払戻金算出要求に応じて、前記レース結果記録手段によって記録されているレース結果に基づいて的中しているか否かを判定し、的中している場合には前記配当金に基づいて払戻し金を算出して要求元の情報処理端末に送信する払戻し金算出手段と、
を更に有することを特徴とする請求項１記載の競輪の払戻し作業支援装置。
【請求項３】
前記各種の見本券画像は、各車券売場毎に独自のシステムによって発券される投票券に対応する見本券の画像データであり、相互にサイズや記載形式が異なる場合があり、
前記任意の投票券は、前記見本券画像提供手段への要求元の情報処理装置が設置されている車券売場以外の車券売場で発券された投票券であることを特徴とする請求項１記載の競輪の払戻し作業支援装置。
【請求項４】
コンピュータに、
競輪の開催場または各場外の車券売場に設置される情報処理端末から送られてくる各種の見本券画像とその登録情報を受信して、各見本券画像をその登録情報に対応付けて記録する機能と、
任意の前記情報処理端末から任意の投票券に対応する見本券画像の提供要求が該投票券の投票券情報と共に送られてくると、前記記録された各種の見本券画像の中から、前記投票券情報と合致する登録情報に対応付けられた見本券画像を、前記要求された見本券画像として、要求元の情報処理端末に送信する機能と、
を実現させるためのプログラム。
【請求項５】
前記競輪開催場に設置される情報処理端末から送られてくるレース結果と配当金を記録する機能と、
任意の前記情報処理端末からの払戻金算出要求に応じて、前記記録されているレース結果に基づいて的中しているか否かを判定し、的中している場合には前記配当金に基づいて払戻し金を算出して要求元の情報処理端末に送信する機能と、
を更に有することを特徴とする請求項４記載のプログラム。
【請求項６】
コンピュータに、
競輪の開催場または各場外の車券売場に設置される情報処理端末から送られてくる各種の見本券画像とその登録情報を受信して、各見本券画像をその登録情報に対応付けて記録する機能と、
任意の前記情報処理端末から任意の投票券に対応する見本券画像の提供要求が該投票券の投票券情報と共に送られてくると、前記記録された各種の見本券画像の中から、前記投票券情報と合致する登録情報に対応付けられた見本券画像を、前記要求された見本券画像として、要求元の情報処理端末に送信する機能と、
を実現させるプログラムを記録した前記コンピュータ読取り可能な記録媒体。
【発明の詳細な説明】
【０００１】
【発明の属する技術分野】
本発明は、他の車券売場で購入された競輪の的中投票券の払戻し作業の手間を大幅に軽減できるシステム、サーバ、プログラム等に関する。
【０００２】
【従来の技術】
競輪業界においては、日本国内において多数の競輪場が存在し、それぞれレースを開催している。ユーザが、あるレースの投票券（車券）を購入する場合には、そのレースが開催されている競輪場（“本場”または“開催場”と呼ばれている）の車券売場で購入する以外に、所謂“場外車券売場”  でも購入することができるようになっている。“場外車券売場”には、本場以外の他の既設の競輪場施設を場外車券売場として利用するものと、“サテライト○×”等の名称がよく知られている、競輪場以外の場所で車券の発売、払戻しを行うものとがある。前者は“競輪場利用場外車券売場”等と呼ばれる。後者は、“専用場外車券売場”等と呼ばれているが、以下、“サテライト”と呼ぶものとする。尚、以下、上記“本場”  の車券売場、“場外車券売場”のどちらであってもよい場合には、単に“車券売場”と記す。
【０００３】
しかしながら、現状では、各競輪場や“専用場外車券売場”の券売・払戻しシステムは、複数のメーカーが、それぞれ、独自のシステムを構築・提供しており、各メーカーのシステム毎に、投票券のサイズや記載形式が異なっており、また、投票券に記載されるコンピュータ読み取り用の記号（例えば、バーコード等）の形式も異なっている。また、同一メーカーのものであっても、各場外車券売場毎に、投票券のサイズや記載形式や文字のフォント／デザインが異なっている場合もある。
【０００４】
この為、ユーザが購入した投票券が的中して、この的中投票券を払戻ししたい場合、ユーザが購入した場所（“本場”または“場外車券売場”）において払戻しを行う場合には、何ら問題なく、払戻機（機械）によって自動的に、上記バーコード等を読み取って、払戻金を計算して、払戻しを行うことができる。
【０００５】
しかしながら、現実には、ユーザが、購入した場所以外のところで、払戻しを行う場合もある。例えば、○△競輪場で開催されたレースについて、××競輪場で投票券を購入したが、○△競輪場で払戻ししたり、あるいはサテライト○×で払戻しする場合や、“本場”すなわち○△競輪場で投票券を購入して、場外開催を行った×△競輪場で払戻しする場合等が有り得る。
【０００６】
このような場合、払戻機（機械）によって払い戻すことができない為、各払戻し窓口で人手によって払い戻すことになる。その際、現状では、以下に説明する方法によって、各払戻し窓口の担当者が、手作業で、目視によって、払い戻しにきた投票券が本物であるか否かのチェックを行っていた。
【０００７】
図１２は、競輪業界における従来の運用方法を説明する為の図である。
まず、あるレースを開催する競輪場、すなわち本場に対して、このレースの投票券の販売・払戻しを行う各“場外車券売場”は、このレースの開催前に、予め、その“場外車券売場”で発券する投票券の見本（以下、見本券と呼ぶ）を、全ての種類について郵送等する。投票券の種類は、現状では、例えば、賭式の種類が、「枠番２連勝複式」、「枠番２連勝単式」、「車番連勝複式」、「車番連勝単式」、「３連勝複式」、「３連勝単式」、及び「拡大連勝複式」の７種類について、それぞれ更に「通常」、「ＢＯＸ」、「流し」の３種類があるので、計２１種類存在する。よって、見本券は、２１種類郵送することになる。
【０００８】
本場では、各場外車券売場から郵送されてきた見本券を受け取ると、これらに、本場が発券する投票券の見本券を加える。次に、各場外車券売場に送る為にこれらの見本券の仕分けを行う。そして、各場外車券売場毎に仕分けされた見本券を、各場外車券売場に郵送する。これによって、各場外競技場は、自場以外の他の全ての場外車券売場の見本券、及び本場の見本券を受け取ることになる。また、本場には、全ての場外車券売場の見本券を残しておく。
【０００９】
その後、レースが開催され、レース結果及び払戻金が確定すると、各場外車券売場及び本場において、自場が発券した投票券については、払戻機によって自動的に払い戻しを行うことができるが、自場以外で発券された投票券については、各払戻し窓口において、担当者が、払戻し対象の投票券と、その投票券を発券した場外競技場または本場の見本券とを、目視によって見比べて、本物であるか否かをチェックしたうえで、本物であれば、払戻しを行っていた。ここで、仮に、払戻し窓口の数が‘１０’であった場合、各窓口毎に、他の場外車券売場または本場の見本券を用意しなければならないので、仮に場外車券売場の数が‘１０’であったとすると、本場ではこれら１０の場外車券売場の見本券、それ以外では自場以外の９つの場外車券売場の見本券及び本場の見本券を用意しなければならない。よって、この例では、各窓口毎に、２１種類×１０＝２１０枚の見本券を用意しなければならない。尚、現実には、購入枚数が少ない種類の投票券に対する払戻しは、例えば１つ又は２，３程度の窓口のみで行うようにしている場合がある。例えば、「枠番２連勝単式」は、購入枚数が少ないので、１つの窓口でのみ取り扱うようにする、等という場合がある。このような場合は、その窓口では２１０枚よりも少なくて済むが、ここでは、説明を簡単にする為に、このような状況は考慮しないで説明するものとする。
【００１０】
上記の通り、各窓口毎に２１０枚の見本券が用意され、払戻しの際には、担当者は、まず、照合の為の該当する見本券を探さなければならず、非常に手間が掛かっていた。更に、一般的に、払戻しの有効期間は６０日であり、また、その場外車券売場が、他のレースの場外車券売場にもなっている場合もあるので、実際にある瞬間に窓口に用意されている見本券は、上記２１０枚の数倍以上となる場合もある。よって、窓口の担当者の手間は、更に増大することになる。
【００１１】
また、上記の例では、各場外車券売場には、２１０枚×１０（窓口数）＝２１００枚の見本券が送られてくることになるので、この大量の見本券を仕分けして、各窓口に２１０枚ずつ分配する作業にも、手間が掛かることになる。
【００１２】
また、レース開催前に、上記の通り、各場外車券売場が本場に自場の見本券を郵送するが、仮に全ての競技場において窓口の数が１０であったとすると、各場外競技場が本場に郵送する見本券の数は、それぞれ、２１００枚であり、本場では、計２１０００枚の見本券を受け取り、これに自己の見本券２１００枚を併せて、合計２３１００枚の見本券を仕分けする作業が必要であり、ここでも非常に手間が掛かっていた。
【００１３】
更に、ある１つの場外車券売場で発券された投票券であっても、定期的にあるいは開催時期によって、記載形式や文字のフォント／デザインを変更する場合がある。よって、上記見本券の郵送、仕分け等の作業は、１度行っておけば、それで済むというわけではない。また、投票券には、例えば“開設○×周年記念レース”、“新人王決定戦”等のような開催するレースの名称が記載される場合があり、チェックの際にはこのレース名称やその文字のフォント／デザインまでもチェックする必要があるので、結局、レースが開催される毎に、上記見本券の郵送、仕分け等の作業が必要となる場合が多く、毎回、非常に手間が掛かる作業が必要となっていた。
【００１４】
最後に、ここで、見本券について例示しておく。
図１３（ａ）〜（ｃ）に、見本券の一例を示す。
図１３（ａ）には、上記「３連勝単式」の見本券の表面の一例を示す。図１３（ｂ）、（ｃ）には、それぞれ、見本券の裏面の一例を示す。
【００１５】
図１３（ａ）に示す見本券の例において、××競輪場は、このレースの本場の名称であり、○△競輪場は、このレースの投票券を販売した車券売場の名称である。つまり、これは、図１２において本場が××競輪場であり、この本場に対して○△競輪場が郵送する自場の見本券のうちの１つである。
【００１６】
図示の見本券では、そのレースの開催年月日、開催回数、第何レースであるか、「３連勝単式」を意味する「３連単」、投票する車体の番号（車番）が記載されている。見本券は、実際の投票券とほぼ同じであるが、第何レースであるか、と車番と合計金額が、予め決められた固定値であり、図示の例では“０レース”、“１”“２”“３”、“１，０００円”に固定されている点が異なる。
【００１７】
このような見本券の例に対して、他の競輪場やサテライトの見本券は、例えば券の大きさが異なっていたり、各項目の記載位置、大きさが異なっていたり、記載の仕方、例えば、車番以外にその車体の搭乗者の氏名が記載されている等、様々な違いがあるのが現状である。
【００１８】
また、見本券の裏面には、例えば図１３（ｂ）に示すような各種注意事項が記載されている。これは、実際の投票券とほぼ同じである。また、図１３（ｃ）には、他の競輪場の見本券の裏面の例を示す。図１３（ｂ）と図１３（ｃ）とを見比べれば明らかなように、内容的にはほぼ同様であるが、記載の仕方（フォーマット）が全く異なっている。
【００１９】
よって、担当者は、表面だけでなく、裏面もチェックしたうえで、本物であるか否かを判断する。
ところで、ここで、投票券が偽造券であるか否かをチェックする方法として、例えば、特許文献１に記載の発明が提案されている。
【００２０】
この特許文献１記載の発明は、例えば、競輪、競馬、競艇、オートレース等に係わり、ユーザが払戻しにきた投票券が、偽造券であるか否かをチェックする為に、従来では従業員が目視確認によってチェックしていたものを、偽造券を自動識別して偽造を防止できる装置、その為の投票券を提案するものである。偽造を防止する為に、例えば、投票券作製前のロール紙にランダムに磁気インクを塗布しておき、この磁気インクの座標位置に基づいて、あるいは各投票券毎に模様が異なるように予め地紋模様を印刷しておき、この地紋の座標位置に基づいて、偽造券であるか否かを判別する。
【００２１】
【特許文献１】
特開平５−１８１８８４号公報
【００２２】
【発明が解決しようとする課題】
上記特許文献１記載の発明は、上述した競輪業界特有の事情には、全く対応していない。ユーザが、投票券を購入した車券売場で払戻しを行う場合には、特許文献１記載の発明を適用して、偽造券を自動識別することは可能であるかもしれないが、投票券を購入した車券売場以外で払戻しを行う場合には、他の車券売場競技場のシステム、すなわち他のメーカー等が独自に提供する、異なるシステムによって発券された投票券を用いるので、偽造券を自動識別できないことは勿論のこと、そもそも払戻機が取り扱うことができない。
【００２３】
よって、このような場合には、結局、人間が目視確認によってチェックするしかないのであるが、上記の通り、現状では、各車券売場の各窓口において担当者が見本券と見比べてチェックできるようにする為には、膨大な手間が必要となっていた。この為、このような手間を軽減できるようにすることが望まれている。
【００２４】
また、現状では、レース後に、本場は、レース結果及び払戻金を記載した一覧表、すなわち「払戻早見表」を、各場外車券売場に送っている。各場外車券売場では、上述した見本券に基づくチェック作業が完了したら、担当者は、続いて、「払戻早見表」を参照して、的中している組番を判断して、電卓等を用いて払戻し金を手計算していた。
【００２５】
しかしながら、このような方法では、判断ミス、計算ミスが生じる可能性がある。特に、近年では、発売賭式の増大、投票券の多様化（ボックス、流し券等）によって、このようなミスが発生し易くなっている。
【００２６】
図１４に、流し券の一例を示す。
図１４に示す流し券は、「３連勝単式」の「１着ながし」の投票券の一例であり、内容的には、“１着、２着、３着”の車番が“３，９，１”、“３，９，２”、“３，９，５”の３種類の組み合わせ（組番）を指定したものであるが、図１４に示す記載を見ても、このような内容であることが分かり難く、また、上述してある通り、各車券売場毎に記載形式が異なるので、的中組番を判断するのは容易ではなく、熟練を要するし、熟練者であってもミスをする。
【００２７】
本発明の課題は、以上の問題を鑑み、他の車券売場（他の競輪場、サテライト等）で購入された投票券の払戻しの際の、見本券に基づく妥当性のチェックの為に必要な作業の手間を大幅に軽減でき、また払戻し金の計算等に係わるミスもなくなるようにできる競輪の払戻し作業支援装置／システム、プログラム等を提供することである。
【００２８】
【課題を解決するための手段】
本発明による競輪の払戻し作業支援装置は、競輪の開催場または各場外の車券売場に設置される情報処理端末から送られてくる各種の見本券画像とその登録情報を受信して、各見本券画像をその登録情報に対応付けて記録する見本券画像登録手段と、任意の前記情報処理端末から任意の投票券に対応する見本券画像の提供要求が該投票券の投票券情報と共に送られてくると、前記見本券画像登録手段によって記録された各種の見本券画像の中から、前記投票券情報と合致する登録情報に対応付けられた見本券画像を、前記要求された見本券画像として、要求元の情報処理端末に送信する見本券画像提供手段とを有するように構成する。
【００２９】
上記構成の競輪の払戻し作業支援装置によれば、各車券売場毎に独自のシステムによって発券される投票券に対応する見本券の画像データである上記各種の見本券画像を、例えばレース開催前に見本券画像登録手段によって登録しておき、レース後、払戻しが可能になったときに、任意の車券売場においてその車券売場以外の車券売場で発券された投票券が的中投票券であるものとして払戻しを要求された場合に、その車券売場の情報処理端末においてこの投票券に対応する見本券画像を取得することができるので、これを表示させることによって、払戻し対象の投票券の妥当性をチェックすることができる。
【００３０】
よって、各場外車券売場、開催競技場は、従来のように膨大な数の見本券を用意して郵送したり、仕分けして分配したり、チェックの際に必要な見本券を探したりする手間、すなわち各車券売場毎に、その車券売場以外の車券売場で購入した投票券が、的中投票券として払戻しを要求された場合に、その妥当性をチェックできるようにする為に必要な様々な作業の手間が、大幅に軽減できるようになる。
【００３１】
また、上記競輪の払戻し作業支援装置において、更に、前記競輪開催場に設置される情報処理端末から送られてくるレース結果と配当金を記録するレース結果記録手段と、任意の前記情報処理端末からの払戻金算出要求に応じて、前記レース結果記録手段によって記録されているレース結果に基づいて的中しているか否かを判定し、的中している場合には前記配当金に基づいて払戻し金を算出して要求元の情報処理端末に送信する払戻し金算出手段とを有するように構成してもよい。
【００３２】
レースが終了したら、上記レース結果記録手段によってレース結果、配当金を記録しておき、その後の任意のときに、この記録に基づいて払戻し金算出手段が、自動的に、的中しているか否かのチェックと払戻し金の算出を行うので、上記要求元の情報処理端末のユーザは、単に、投票券に記載されている組番の内容を入力する操作を行えばよい。
【００３３】
これによって、従来の「払戻早見表」を参照して手計算によって払戻金を算出する方法では、的中組番の判断に手間が掛かったり、判断ミス／計算ミスが生じる可能性があったが、このような問題を解消できるようになる。
【００３４】
なお、上述した本発明の各構成により行なわれる機能と同様の制御をコンピュータに行なわせるプログラムを記憶したコンピュータ読み取り可能な記憶媒体から、そのプログラムをコンピュータに読み出させて実行させることによっても、前述した課題を解決することができる。すなわち、本発明は、上記競輪の払戻し作業支援装置の機能を実現させるプログラム自体や、このプログラムを記録した記録媒体自体として構成することもできる。
【００３５】
【発明の実施の形態】
以下、図面を参照して、本発明の実施の形態について説明する。
図１は、本実施の形態による競輪の払戻し作業支援システム全体の概略的なシステム構成図である。
【００３６】
同図において、ネットワーク１は、例えばインターネット等である。
あるとき、あるレースを開催する競技場、すなわち開催競技場（本場）には、パソコン等の何らかの情報処理装置２が設置されている。この情報処理装置２は、ネットワーク１に接続しており、ネットワーク１を介して、当該ネットワーク１に接続している他の任意の情報処理装置とデータ送受信可能な構成となっている。
【００３７】
上記開催競技場で行われるレースの発券、払戻しを行う他の競技場またはサテライトである各場外車券売場Ａ、Ｂ、Ｃには、それぞれ、パソコン等の何らかの情報処理装置３ａ、３ｂ、３ｃが設置されており、これら情報処理装置３ａ、３ｂ、３ｃはネットワーク１に接続しており、ネットワーク１を介して、当該ネットワーク１に接続している他の任意の情報処理装置とデータ送受信可能な構成となっている。
【００３８】
サーバ１０は、「競輪の払戻し作業支援装置」としての機能を有するコンピュータであり、各車券売場の見本券の画像データを保存して一元管理しており、レース後に各情報処理装置２、３ａ、３ｂ、３ｃに対して、的中投票券の妥当性のチェックの為に必要な見本券画像を提供する。また、「払戻早見表」に相当するデータを格納・管理して、情報処理装置２、３ａ〜３ｃからの要求に応じて、払戻し金を自動的に算出する。勿論、サーバ１０も、ネットワーク１に接続している。
【００３９】
更に詳しくは、サーバ１０は、ＤＢ（データベース）１１、見本券画像登録部１２、見本券画像提供部１３、レース結果記録部１４、及び払戻し金算出部１５を有する。
【００４０】
見本券画像登録部１２は、上記レース開催前に情報処理装置２または各情報処理装置３ａ、３ｂ、３ｃから登録情報と共に送られてくる各種の見本券の画像データを受信して、各見本券画像をその登録情報に対応付けてＤＢ（データベース）１１に格納する。
【００４１】
レース後に、開催競技場または各場外車券売場Ａ、Ｂ、Ｃにおいて、投票券購入者が、その車券売場以外の車券売場で購入した投票券を、的中投票券として払戻しを要求した場合に、情報処理装置２または各情報処理装置３ａ、３ｂ、３ｃから、この的中投票券のチェックに用いる見本券画像の要求が、検索条件と共にサーバ１０に対して送信される。
【００４２】
見本券画像提供部１３は、この要求を受信すると、上記見本券画像登録部１２によってＤＢ１１に記録されている各種の見本券画像の中から、上記検索条件と一致する登録情報に対応付けられた見本券画像を求め、求めた見本券画像を、要求元の情報処理装置に送信する。
【００４３】
上記見本券画像登録部１２、見本券画像提供部１３によって、各場外車券売場、開催競技場は、膨大な数の見本券を用意して郵送したり、仕分けして分配したり、チェックの際に必要な見本券を探したりする手間、すなわち各車券売場毎に、その車券売場以外の車券売場で購入した投票券が、的中投票券として払戻しを要求された場合に、その妥当性をチェックできるようにする為に必要な様々な作業の手間が、大幅に軽減できるようになる。
【００４４】
また、レース開催中またはレース後に、開催競技場の情報処理装置２から、担当者の操作によって、または自動的に、レース結果及び配当金の情報が、サーバ１０に対して送信される。
【００４５】
レース結果記録部１４は、このレース結果及び配当金の情報を受信して、ＤＢ１１に記録する。
その後、任意のときに、各情報処理装置３ａ、３ｂ、３ｃから、例えば上記的中投票券として払戻しを要求された投票券の買目（車番の組み合わせ）と購入金額と共に払戻し金算出要求がサーバ１０に送られてくると、払戻し金算出部１５は、レース結果記録部１４によってＤＢ１１に記録されているレース結果と買目とに基づいて的中しているか否かを判断し、的中している場合には、上記配当金と購入金額に基づいて払戻し金を算出して、これを要求元の情報処理装置に送信する。
【００４６】
以上、レース結果記録部１４、及び払戻し金算出部１５によって、自動的に、払戻し金が算出されるので、従来の「払戻早見表」を参照して手計算によって払戻金を算出する方法では、判断に手間が掛かったり、判断ミス／計算ミスが生じる可能性があったが、このような問題を解消できるようになる。
【００４７】
以下、まず、上記レース開催前に見本券の画像データをサーバ１０に登録する処理について、図２、図３、図４を参照して説明する。
図２は、見本券の画像登録処理のフローチャート図である。
【００４８】
図３は、見本車券画像登録画面の一例を示す図である。
図４は、サーバが格納・管理する見本券画像・払戻し管理テーブルの一例を示す図である。
【００４９】
尚、図４において開催競技場３１〜裏面画像４２までの各データ項目には、別途、▲１▼〜▲８▼、（ｉ）〜（ｉｖ）の番号が付してあり、図２、図５、図７のフローチャート図面内では、分かり易くする為に、これらの番号を用いた記載がされている。また、尚、図２の図上＜端末側＞とは各情報処理装置２、３ａ、３ｂ、３ｃのことであり、＜センターサーバ側＞とはサーバ１０のことであり特に見本券画像登録部１２によって実行される処理を示す。
【００５０】
まず、開催競技場または各場外車券売場Ａ、Ｂ、Ｃの見本券取扱い担当者等のユーザは、情報処理装置２または各情報処理装置３ａ、３ｂ、３ｃを操作して、そのディスプレイに、例えば図３に示す見本車券画像登録画面２０を表示させる。
【００５１】
尚、この操作を行う前に、ユーザ等は、予め、スキャナ等を用いて各見本券を光学的に読み取って、各見本券の画像データを取得して、この各見本券の画像データファイルに任意のファイル名を与えて、保存しておく。
【００５２】
次に、ユーザは、この見本車券画像登録画面２０の見本券登録情報入力領域２１において、登録する見本券画像データに係わる所定の登録情報を入力／選択する（ステップＳ１１）。登録情報は、図示の例では、“開催日”、“開催場”、“発売場”、“年度・回・日・節”、及び“賭式”である。これら登録情報は、後述する図４の見本券画像・払戻し管理テーブル３０内の開催日３３、開催競技場３１、発売場３２、“年度・回・日・節”３４、発売式別３６の各フィールドに予め格納されているデータと比較して、登録する見本券画像データを格納する位置を求めるのに使用される。すなわち、これら登録情報は、見本券画像の格納位置を探す為の検索条件となる。詳しくは後述する。
【００５３】
“賭式”については、更に、“通常”、“ＢＯＸ”、“流し”の何れかを選択する（ステップＳ１２）。“賭式”は、ここでは見本券画像の種類を意味することになり、上記の通り２１種類ある。図示の例では、発売式別３６に該当する情報として「３連勝単式」が選択され、更に“通常”が選択されているので、“賭式”は「３連勝単式の通常」である。
【００５４】
次に、ユーザが、登録する見本券の画像データファイルのファイル名を、画像データファイル名入力領域２２において選択・指定すると（ステップＳ１３）、指定された見本券画像データファイルを取得すると共に、見本券画像表示領域２４に、ユーザが指定した見本券の画像を表示する（ステップＳ１４）。ユーザが、この表示を見て、間違いがないか否かを確認後、「送信」ボタン２３を押下すると、情報処理装置２または各情報処理装置３ａ、３ｂ、３ｃは、ステップＳ１１、Ｓ１２で入力された登録情報等と共に、ステップＳ１４で取得した見本券画像データを、サーバ１０に送信する（ステップＳ１５）。
【００５５】
サーバ１０は、ステップＳ１５の処理によって送られてきた登録情報等及び見本券画像データを受信すると（ステップＳ２１）、例えば、図４に示す見本券画像・払戻し管理テーブル３０を参照して、受信した登録情報を検索条件として当該テーブル３０を検索して、登録情報と一致するレコードを見つけ出し、このレコードにおいて、見本券画像（通常）３９〜見本券画像（流し）４１の何れか該当するフィールドに、受信した見本券画像データファイルのファイル名を格納する。あるいは、受信した見本券画像が見本券の裏面の画像である場合には、そのファイル名を、裏面画像４２に格納する（ステップＳ２２）。
【００５６】
ここで、図４に示す見本券画像・払戻し管理テーブル３０について説明する。図示のテーブル３０は、開催競技場３１、発売場３２、開催日３３、“年度・回・日・節”３４、レース番号３５、発売式別３６、買目３７、配当金３８、見本券画像（通常）３９、見本券画像（ＢＯＸ）４０、見本券画像（流し）４１、及び裏面画像４２の各データ項目を有する。
【００５７】
但し、図４に示す例は、当該見本券登録処理が全ての見本券について完了し、更に少なくとも“１１レース”が行われて、レース結果及びその配当金が、後述する払戻早見表登録処理によって、当該テーブル３０に格納された後の状態を示す。よって、当該見本券登録処理の段階では、未だ、レース番号３５、買目３７、配当金３８のフィールドには、一切、データは格納されていない。
【００５８】
また、見本券画像（通常）３９〜見本券画像（流し）４１、及び裏面画像４２の各フィールドに、全てのファイル名が格納されているわけではないものとする。図３の例では、新たに３連勝単式（通常）の見本券画像を登録しようとしているので、少なくとも図４に示す見本券画像（通常）３９における“ファイルＦ１”は、上記ステップＳ２１の段階では、未だ、格納されていない。
【００５９】
この状態で、図３に示す見本券画像を登録しようとする場合には、上記ステップＳ２２の処理は、まず、テーブル３０の開催競技場３１、発売場３２、開催日３３、“年度・回・日・節３４”、及び発売式別３６をキーにして、上記登録情報に合致するレコードを検索して求めると、図示のレコード４３が該当する。続いて、受信した見本券画像データの種類は“通常”であるので、当該レコード４３における見本券画像（通常）３９のフィールドに、受信した見本券画像データのファイル名、すなわち“ファイルＦ１”を格納する。
【００６０】
そして、受信した見本券画像データファイルは、ＤＢ（データベース）１１内の所定の記憶領域に格納する（ステップＳ２３）。
尚、テーブル３０において、開催競技場３１、発売場３２、開催日３３、“年度・回・日・節３４”の各データは、サーバ１０側で予め知ることができるし、発売式別３６の種類も決まっているので、サーバ１０側で予めこれらのデータを格納したテーブル３０の雛型を用意している。勿論、これに限らず、初期状態ではテーブル３０には何らデータは格納されておらず、見本券画像を受信する毎に、上記登録条件に合致するレコードを検索して、もし該当するレコードが存在しなければ、当該登録情報を格納した新たなレコードを作成するようにしてもよい。
【００６１】
以上ステップＳ２１〜Ｓ２３の処理が正常に完了したら、サーバ１０は、登録要求元の情報処理装置に対して、格納完了通知を送信する（ステップＳ２４）。この格納完了通知を受信した情報処理装置は（ステップＳ１６）、登録完了した見本券種類に対応するフラグをＯＮにし、これに伴って図３の登録完了確認表示領域２５において、登録完了した見本券種類の表示を、×から○に変える（ステップＳ１７）。ここで、特に図示しないが、情報処理装置は、その記憶装置内に、見本券の各種類の名称と、これら各々に対応付けたフラグとを格納しており、初期状態では全てのフラグがＯＦＦとなっており、任意の見本券画像データを登録完了する毎に、登録完了した見本券種類に対応するフラグをＯＮにする。そして、登録完了確認表示領域２５において、フラグがＯＦＦであれば×、ＯＮであれば○を表示する。
【００６２】
図３に示す例は、３連勝単式（通常）の見本券画像データの登録完了する前の表示状態を示しているので、３連勝単式（通常）に関しては×が表示されているが、上記ステップＳ１７の処理によって、○が表示されることになる。
【００６３】
尚、見本券の種類は、図３の登録完了確認表示領域２５に示す通り、「枠番２連勝複式」〜「拡大連勝複式」までの７種類の発売式別について、それぞれ、通常、ＢＯＸ、流しがあるので、計２１種類であり、更にこれに裏面画像が加わるので、見本券の画像の種類は、合計２２種類である。
【００６４】
以上説明した処理を、全種類の見本券の画像データを登録するまで繰り返し実行したら、当該登録処理は終了する（ステップＳ１８）。
以上の登録処理が完了したら、サーバ１０側では、開催されるレースの数の分だけ、テーブル３０をコピーする。例えば、第１レース〜第１１レースまで行われる場合には、１１個のテーブル３０を作成して、各テーブル３０のレース番号３５に、上記第１レース〜第１１レースの何れかのレース番号を格納する。図４には、このように作成された各テーブル３０の中で第１１レースに関するテーブル３０の例を示している。
【００６５】
以上で、レース開催前の準備が完了することになる。
以下、レース開催中または開催後に実行される処理について説明する。
まず、以下に、図５、図６を参照して、払戻早見表登録処理について説明する。この処理は、レース開催中または開催後に、開催競技場の担当者等が、情報処理装置２を操作して、各レースのレース結果とその配当金を入力して、これをサーバ１０に送信して保存させる処理である。尚、図示の例に限らず、開催競技場内のシステムに、レース結果とその配当金のデータが格納されている場合には、これをそのままサーバ１０に転送するようにしてもよい。
【００６６】
図５は払戻早見表登録処理のフローチャート図であり、図６はその際に開催競技場の情報処理装置２に表示される画面の一例を示す図である。
尚、図５の図上＜端末側＞とは情報処理装置２のことであり、＜センターサーバ側＞とはサーバ１０のことであり特にレース結果記録部１４によって実行される処理を示す。
【００６７】
図５において、開催競技場において任意のレースのレース結果・配当金が確定したら（ステップＳ３１）、ユーザは、情報処理装置２を操作してそのディスプレイに例えば図６に示す払戻早見表登録画面５０を表示させて、画面５０内の対象レース指定領域５１、レース結果・配当金入力領域５２において、それぞれ必要なデータを入力する（ステップＳ３２）。対象レース指定領域５１で入力されるデータは、テーブル３０の検索条件となる。
【００６８】
データ入力完了したら、「送信」ボタン５３を押下すると、情報処理装置２は、サーバ１０に対して、ステップＳ３２で入力されたデータを送信する（ステップＳ３３）。
【００６９】
サーバ１０は、このデータを受信すると（ステップＳ４１）、上記対象レース指定領域５１で入力されたデータを検索条件として、テーブル３０において該当するレコードを検索して求め（ステップＳ４２）、このレコードの買目３７、配当金３８のフィールドに、上記レース結果・配当金入力領域５２で入力したレース結果、配当金のデータを格納する（ステップＳ４３）。
【００７０】
そして、データ格納完了したら、格納完了通知を、開催競技場の情報処理装置２に送信する（ステップＳ４４）。
情報処理装置２は、この格納完了通知を受信すると（ステップＳ３４）、図６の画面５０内のメッセージ表示領域５４に、例えば「登録が完了しました」等のメッセージを表示する（ステップＳ３５）。
【００７１】
以上の処理によって、テーブル３０は、図４に示す状態となる。
その後は、開催競技場または場外車券売場の各払戻し窓口に設置される情報処理装置からの問い合わせに応じて、チェックに必要な見本券の画像データを返信したり、払戻金を算出して返信する処理、すなわち以下に図７〜図９を参照して説明する的中投票券の払戻し作業支援処理を実行する。尚、上記各払戻し窓口に設置される情報処理装置は、厳密に言えば情報処理装置２、３ａ、３ｂ、３ｃとは異なるかもしれないが、ここでは、特に区別せず、まとめて、情報処理装置２、３ａ、３ｂ、３ｃとして扱うものとし、以下の説明では情報処理装置２、３と記すものとする。
【００７２】
図７は、的中投票券の払戻し作業支援処理のフローチャート図である。
図８、図９は、この処理の際に情報処理装置のディスプレイに表示される投票情報の入力画面、払戻の確定画面の一例を示す図である。
【００７３】
尚、図７の図上＜端末側＞とは情報処理装置２、３ａ〜３ｃのことであり、＜センターサーバ側＞とはサーバ１０のことであり特に前半のステップＳ６１〜Ｓ６３は見本券画像提供部１３によって実行される処理、後半のステップＳ６４〜Ｓ６７は払戻し金算出部１５によって実行される処理を示す。
【００７４】
各払戻し窓口の担当者等のユーザは、窓口に来た投票券購入者が、自己の投票券が的中投票券であるものとして払戻しを要求したが、その車券売場以外の車券売場で発券された投票券である場合には、まず、情報処理装置２又は３を操作して、そのディスプレイに、例えば図８に示すような投票情報の入力画面６０を表示させる。
【００７５】
そして、この画面６０の投票情報入力領域６１に示す所定のデータ項目のデータを入力／選択する（ステップＳ５１）。入力／選択するデータは、上記投票券の表面に記載されている事項であり、担当者が目視によってこれら記載事項を確認して、入力／選択する。画面６０には、今回チェックすべき投票券に記載されていた事項が、開催日が平成１５年１月２７日、開催場が××競輪場、発売場が○△競輪場、対象レースは第１１レース、賭式は３連勝単式（通常）となっていた場合の例を示す。
【００７６】
ユーザは、入力完了したら「送信」ボタン６２を押下する。これに応じて、情報処理装置２又は３は、上記ステップＳ５１で入力された投票券情報を、見本券画像の提供要求コマンドと共に、サーバ１０に送信する（ステップＳ５２）。
【００７７】
サーバ１０は、上記投票券情報を受信すると、この投票券情報を検索条件としてテーブル３０を検索して、該当するレコードを求める（ステップＳ６１）。この例では、図４におけるレコード４３が該当することになる。更に、賭式は３連勝単式の“通常”なので、このレコード４３における見本券画像（通常）３９のフィールドに格納されているファイル名、すなわちファイルＦ１が求められるので、ＤＢ１１内の所定の記憶領域に記憶されている見本券画像ファイルＦ１と見本券画像ファイルＺとを、ＤＢ１１から取り出して、バッファに一時記憶する（ステップＳ６２）。尚、見本券画像ファイルＺは、ファイルＡ１〜ファイルＧ３の全てに共通の、見本券の裏側の画像ファイルであり、基本的には必ず、検索した見本券画像ファイルと一緒に、要求元に返信する。
【００７８】
そして、これらの見本券画像ファイルを、要求元の情報処理装置に送信する（ステップＳ６３）。また、その際、この第１１レースに関する発売式別３６、買目３７、配当金３８の全てのデータを、配当金早見表データとして、要求元の情報処理装置に送信してもよい。
【００７９】
要求元の情報処理装置は、この見本券画像ファイル等を受信すると（ステップＳ５３）、例えば図９に示す払戻の確定画面７０を表示する（ステップＳ５４）。
【００８０】
この払戻の確定画面７０に示すように、当該要求元の情報処理装置は、見本券表示領域７５に、ステップＳ５３で受信した見本券画像ファイルの見本券画像を表示する。これは、上記の通り、見本券の表面、裏面の両方を表示する。また、投票券情報表示領域７１に、図８の画面６０で入力した投票券情報が表示される。また、賭式の買目（車番の組み合わせ）入力領域７２が表示される。更に、上記配当金早見表データも送られてきた場合には、これを早見表表示領域７６に表示する。
【００８１】
払戻し窓口の担当者は、この見本券表示領域７５に表示される見本券の画像と、上記払戻し対象の投票券とを見比べて、目視によって、この投票券の妥当性をチェックする。
【００８２】
チェックの結果、正当な投票券であると判断した場合には、続いて、担当者は、賭式の買目入力領域７２において、上記投票券に記載されている買目と購入金額を入力して、「送信」ボタン７３を押下する。その際、賭式の買目入力領域７２には、賭式、すなわち投票券の種類に応じて予め用意されている所定の入力フォーマットが表示されるようになっており、ユーザは、投票券に記載されている車番を見た目通りに入力すればよい。つまり、特にボックスや流しの場合に、ユーザは、投票券の記載事項から逐一買目（組み合わせ）を判断する必要はない。
【００８３】
尚、賭式の買目入力領域７２にデータを入力することなく、早見表表示領域７６の表示内容を参照して、従来通りの手計算による払戻し金額の算出を行うようにしてもよい。
【００８４】
ユーザは、入力完了したら「送信」ボタン７３を押下する。これに応じて、情報処理装置は、入力された買目と購入金額データと共に、払戻金算出要求コマンドをサーバ１０に送信する（ステップＳ５５）。
【００８５】
サーバ１０は、この買目、購入金額データを受信すると（ステップＳ６４）、該当するレコードは既にステップＳ６１で検索されているので、このレコード４３の買目３７のデータを用いて、受信した買目データを照合して、的中しているか否かを確認する（ステップＳ６５）。的中している場合には、同レコード４３の配当金３８のデータを用いて、払戻し金額を算出する。すなわち、
払戻し金額＝（受信した購入金額データ）÷１００×配当金
を算出する（ステップＳ６６）。そして、算出した払戻し金額を、算出要求元の情報処理装置に送信する（ステップＳ６７）。
【００８６】
これを受信した情報処理装置は（ステップＳ５６）、図９に示す払戻の確定画面７０内の払戻し金表示領域７４に、受信した払戻し金額を表示する（ステップＳ５７）。
【００８７】
払戻し窓口の担当者は、この表示を見て、的中投票券の払戻しを行う。
尚、上述した処理例に限らず、例えば、サーバ１０から上記配当金早見表データが送られてくる場合には、情報処理装置２又は３が、この配当金早見表データを用いて、上記ステップＳ６５、Ｓ６６の処理を実行するように構成してもよい。
【００８８】
尚、図３、図６、図８、図９に示す各画面は、各情報処理装置２、３ａ、３ｂ、３ｃ側で予め所定のフォームを用意してもよいし、サーバ１０側で用意して例えばホームページ上で提供してもよい。
【００８９】
図１０は、上記サーバ１０または情報処理装置２、３ａ、３ｂ、３ｃ、すなわちコンピュータのハードウェア構成の一例を示す図である。
同図に示すコンピュータ８０は、ＣＰＵ８１、メモリ８２、入力装置８３、出力装置８４、外部記憶装置８５、媒体駆動装置８６、ネットワーク接続装置８７等を有し、これらがバス８８に接続された構成となっている。同図に示す構成は一例であり、これに限るものではない。
【００９０】
ＣＰＵ８１は、当該コンピュータ８０全体を制御する中央処理装置である。
メモリ８２は、プログラム実行、データ更新等の際に、外部記憶装置８５（あるいは可搬型記録媒体８９）に記憶されているプログラムあるいはデータを一時的に格納するＲＡＭ等のメモリである。ＣＰＵ８１は、メモリ８２に読み出したプログラム／データを用いて、上述してある各種処理、機能（図２、図５、図７等に示す処理）を実行する。
【００９１】
入力装置８３は、例えばキーボード、マウス、タッチパネル等である。
出力装置８４は、例えばディスプレイ、プリンタ等である。
外部記憶装置８５は、例えば磁気ディスク装置、光ディスク装置、光磁気ディスク装置等であり、上述してきたコマンド入力装置としての各種機能を実現させる為のプログラム／データ等（図４に示すテーブル３０や、図２、図５、図７等に示す処理を実行するプログラム）が格納されている。
【００９２】
媒体駆動装置８６は、可搬型記録媒体８９に記憶されているプログラム／データ等を読み出す。可搬型記録媒体８９は、例えば、ＦＤ（フレキシブルディスク）、ＣＤ−ＲＯＭ、メモリカード、ＤＶＤ、光磁気ディスク等である。
【００９３】
ネットワーク接続装置８７は、ネットワークに接続して、外部の情報処理装置とプログラム／データ等の送受信を可能にする構成である。
図９は、上記プログラムを記録した記録媒体、プログラムのダウンロードの一例を示す図である。
【００９４】
図示のように、上記本発明の機能を実現するプログラム／データが記憶されている可搬型記録媒体８９からコンピュータ８０側に読み出して、メモリ８２に格納し実行するものであってもよいし、また、上記プログラム／データは、ネットワーク接続装置８７により接続しているネットワーク１（インターネット等）を介して、外部のサーバ９０の記憶部９１に記憶されているプログラム／データをダウンロードするものであってもよい。
【００９５】
また、本発明は、装置／方法に限らず、上記プログラム／データを格納した記録媒体（可搬型記録媒体８９等）自体として構成することもできるし、上記プログラム自体として構成することもできる。
【００９６】
【発明の効果】
以上、詳細に説明したように、本発明による競輪の払戻し作業支援装置／システム、プログラム、方法等によれば、他の車券売場（他の競輪場、またはサテライト等）で購入された投票券の払戻しの際の、見本券に基づく妥当性のチェックの為に必要な作業に掛かる手間を大幅に軽減でき、また払戻し金の計算等に係わるミスもなくなる。また、紙の見本券は必要なくなるので、紙資源の消費の抑制にも貢献する。
【図面の簡単な説明】
【図１】競輪の払戻し作業支援システム全体の概略的なシステム構成図である。
【図２】見本券の画像登録処理のフローチャート図である。
【図３】見本車券画像登録画面の一例を示す図である。
【図４】サーバが格納・管理する見本券画像・払戻し管理テーブルの一例を示す図である。
【図５】払戻早見表登録処理のフローチャート図である。
【図６】払戻早見表登録画面の一例を示す図である。
【図７】的中投票券の払戻し作業支援処理のフローチャート図である。
【図８】投票情報の入力画面の一例を示す図である。
【図９】払戻の確定画面の一例を示す図である。
【図１０】コンピュータのハードウェア構成の一例を示す図である。
【図１１】プログラムを記録した記録媒体、プログラムのダウンロードの一例を示す図である。
【図１２】競輪業界における従来の運用方法を説明する為の図である。
【図１３】見本券の一例を示す図であり、（ａ）は表面、（ｂ）、（ｃ）は裏面（その１）、（その２）である。
【図１４】流し券の一例を示す図である。
【符号の説明】
１  ネットワーク
２  情報処理装置（開催競技場）
３ａ、３ｂ、３ｃ  情報処理装置（場外競技場）
１０  サーバ
１１  ＤＢ（データベース）
２０  見本車券画像登録画面
２１  見本券登録情報入力領域
２２  画像データファイル名入力領域
２３  「送信」ボタン
２４  見本券画像表示領域
３０  見本券画像・払戻し管理テーブル
３１  開催競技場
３２  発売場
３３  開催日
３４  “年度・回・日・節”
３５  レース番号
３６  発売式別
３７  買目
３８  配当金
３９  見本券画像（通常）
４０  見本券画像（ＢＯＸ）
４１  見本券画像（流し）
４２  裏面画像
５０  払戻早見表登録画面
５１  対象レース指定領域
５２  レース結果・配当金入力領域
５３  「送信」ボタン
５４  メッセージ表示領域
６０  投票情報の入力画面
６１  投票情報入力領域
６２  「送信」ボタン
７０  払戻の確定画面
７１  投票券情報表示領域
７２  買目入力領域
７３  「送信」ボタン
７４  払戻し金表示領域
７５  見本券表示領域
７６  早見表表示領域
８０  コンピュータ
８１  ＣＰＵ
８２  メモリ
８３  入力装置
８４  出力装置
８５  外部記憶装置
８６  媒体駆動装置
８７  ネットワーク接続装置
８８  バス
８９  可搬型記録媒体
９０  外部のサーバ
９１  記憶部
【図１】
2004246426.tif 000003
【図２】
2004246426.tif 000004
【図３】
2004246426.tif 000005
【図４】
2004246426.tif 000006
【図５】
2004246426.tif 000007
【図６】
2004246426.tif 000008
【図７】
2004246426.tif 000009
【図８】
2004246426.tif 000010
【図９】
2004246426.tif 000011
【図１０】
2004246426.tif 000012
【図１１】
2004246426.tif 000013
【図１２】
2004246426.tif 000014
【図１３】
2004246426.tif 000015
【図１４】
2004246426.tif 000016